(57)【要約】【課題】ケーブルに対する工事用機器等の誤った衝突を防ぐことを可能にする注意喚起具を提供する。【解決手段】注意喚起具１は、所定の長さを有して螺旋状に形成された線状の本体部２と、本体部２の両端に設けられた、注意喚起具１同士を連結する連結部３とを備える。本体部２は、心線の回りを合成樹脂材料で被覆した線状の部材により構成され、螺旋の内径は、メッセンジャワイヤ及び光ファイバーケーブル等のケーブルの外径に応じた大きさとなる。また、本体部２の表面は、例えば黄色等の視認性の高い色を備える。本体部２の両端にそれぞれ雄型のジョイント部を有する連結部と、雌型のジョイント部を有する連結部とが備えられ、互いに嵌合して結合することにより、注意喚起具１は螺旋形状の長手方向に連結された状態となる。【選択図】        図１
2007174761.tif 000002
【特許請求の範囲】
【請求項１】
電柱間にメッセンジャワイヤとケーブル支持具によって架設されるケーブルに装着され、前記ケーブルの存在を注意喚起する注意喚起具において、
螺旋状に形成され、前記ケーブルを螺旋状長手方向に通す内部空間を有する本体部を備え、
前記本体部は、周囲に対する注意喚起手段を有する
ことを特徴とする注意喚起具。
【請求項２】
前記注意喚起手段として、前記本体部の表面は、周囲の環境に対して視認性の高い色彩又は模様を有する
ことを特徴とする請求項１記載の注意喚起具。
【請求項３】
前記本体部の表面は、螺旋状長手方向に任意の間隔で縞模様を有する
ことを特徴とする請求項２記載の注意喚起具。
【請求項４】
当該注意喚起具を螺旋状長手方向に連結する連結手段を、前記本体部の両端に備える
ことを特徴とする請求項１乃至３のいずれかに記載の注意喚起具。
【請求項５】
前記連結手段として、互いに嵌合して結合するコネクタを備える
ことを特徴とする請求項４記載の注意喚起具。
【請求項６】
前記連結手段として、当該注意喚起具の一部同士を重ね合わせた状態で巻き付けて、面ファスナーにより固定する固定用布を備える
ことを特徴とする請求項４記載の注意喚起具。
【発明の詳細な説明】
【技術分野】
【０００１】
本発明は、電柱間にメッセンジャワイヤとケーブル支持具によって架設されるケーブルに装着され、ケーブルの存在を注意喚起する注意喚起具に関する。詳しくは、螺旋状に形成された本体部が、周囲に対する注意喚起手段を有することにより、当該注意喚起具が装着されているケーブルが設置されている箇所を容易に見分け、ケーブルに対する工事用機器等の誤った衝突を防ぐことを可能とするものである。
【背景技術】
【０００２】
電柱間に張設したメッセンジャワイヤに光ファイバーケーブル等のケーブルを吊り下げて設置する支持具として、螺旋状のケーブル支持具が用いられている。図６は螺旋状のケーブル支持具５０により、電柱１２に張設したメッセンジャワイヤ１０に光ファイバーケーブル１１を吊り下げて設置した状態を示す説明図である。
【０００３】
図６に示すケーブル支持具５０は、所定の長さを有して螺旋状に形成された線状の支持具本体部５２と、支持具本体部５２同士を連結する支持具連結部５３を備える。支持具本体部５２は、心線の回りを合成樹脂材料で被覆した線状の部材により構成される。また、支持具本体部５２の螺旋の内径は、メッセンジャワイヤ１０及び吊り下げ対象の光ファイバーケーブル１１の外径に応じた大きさとなる。
【０００４】
このような構成を備えるケーブル支持具５０により、次のようにメッセンジャワイヤ１０に対する光ファイバーケーブル１１の設置が行われる。まず、電柱間に張設されたメッセンジャワイヤ１０に、メッセンジャワイヤ１０が支持具本体部５２の螺旋内部に位置するようにしてケーブル支持具５０を取り付ける。その後、光ファイバーケーブル１１を、各ケーブル支持具５０の支持具本体部５２の螺旋内部に挿通して設置する。
【０００５】
ここで、光ファイバーケーブル１１は景観上なるべく目立たないようにするため黒色である場合が多い。また、ケーブル支持具５０も、その目的がケーブルを支持するためのものであり、また、景観上なるべく目立たないように敷設されることから、黒色で、且つ強度が許す限り細く設計されている。このため、建設工事現場等において工事用機器が光ファイバーケーブル１１及びケーブル支持具５０の存在に気付かずに衝突し、光ファイバーケーブル１１の断線、折り曲げ等の損傷が発生するおそれがあった。
【０００６】
光ファイバーケーブル１１にこのような損傷が発生した際の復旧には特殊な器材が必要となり、多大な時間及び費用がかかってしまう。通信回線を通じて多くのインターネットサービス等が提供されている現在においては、光ファイバーケーブルの損傷の社会的影響は大きい。
【０００７】
このため、メッセンジャワイヤに取り付けられるケーブルを被覆する防護カバーに関して、防護カバーがメッセンジャワイヤに沿ってずれないように固定する電信ケーブル防護カバーの固定具が提案されている（例えば特許文献１参照）。特許文献１に開示される電信ケーブル防護カバーの固定具は、ケーブル支持具に嵌着される手段と防護カバーを係合する手段を備えることにより、防護カバーがメッセンジャワイヤに対してずれるのを防ぐものである。
【０００８】
また、架空送電線等の電線に直接巻きつけて、該電線の存在を知らしめる電線表示用スパイラルロッドが提案されている（例えば特許文献２、特許文献３参照）。特許文献２に開示される電線表示用スパイラルロッドは、スパイラルロッド本体が電線に電気的に接触可能な部分を有することにより、断続的な電気接触等によるテレビノイズ等を防ぐものである。更に特許文献３に開示される電線表示用スパイラルロッドは、スパイラルロッド本体の表面に夜光塗料の塗布層を設けることにより、夜間の暗闇でも電線の表示を可能とするものである。
【０００９】
【特許文献１】特開平２００２−３４５１３６号公報
【特許文献２】特開平１１−１６８８２１号公報
【特許文献３】特開平１１−１６８８２２号公報
【発明の開示】
【発明が解決しようとする課題】
【００１０】
しかし、特許文献１に開示される電信ケーブル防護カバーの固定具は、防護カバーの重量及び投影面積が大きいため、防護カバーの自重及び風圧荷重により光ファイバーケーブルに大きなストレスが加わる問題がある。
【００１１】
また、特許文献２及び特許文献３に開示される電線表示用スパイラルロッドは、電線に巻きつけて該電線の存在を知らしめる構成であり、電柱間にメッセンジャワイヤとケーブル支持具によって架設されるケーブルに対しては、ケーブル支持具が邪魔となり取り付けが極めて困難である。
【００１２】
本発明は、このような問題を解決するためになされたものであり、ケーブルに対する工事用機器等の誤った衝突を防ぐことを可能にする注意喚起具を提供することを目的とする。
【課題を解決するための手段】
【００１３】
上述した問題を解決するため、本発明に係る注意喚起具は、電柱間にメッセンジャワイヤとケーブル支持具によって架設されるケーブルに装着され、ケーブルの存在を注意喚起する注意喚起具において、螺旋状に形成され、ケーブルを螺旋状長手方向に通す内部空間を有する本体部を備え、本体部は、周囲に対する注意喚起手段を有することを特徴とする注意喚起具。
【００１４】
本発明に係る注意喚起具は、電柱間にメッセンジャワイヤとケーブル支持具によって架設されるケーブルに対して、メッセンジャワイヤ及びケーブルが本体部の螺旋形状の内部空間に位置するように装着される。また、本体部が周囲に対する注意喚起手段を備えるため、当該注意喚起具が装着されたケーブルが設置されている箇所を、周囲から容易に見分けることができる。
【発明の効果】
【００１５】
本発明の注意喚起具によれば、本体部が周囲に対する注意喚起手段を備えることにより、当該注意喚起具が装着されたケーブルが設置されている箇所を、周囲から容易に見分けることができる。このため、ケーブルに対する工事用機器等の誤った衝突を防ぐことが可能となる。
【発明を実施するための最良の形態】
【００１６】
以下図面を参照して、本発明の注意喚起具の実施の形態について説明する。
【００１７】
＜本実施の形態の注意喚起具の構成例＞
図１から図３は本実施の形態の注意喚起具１の構成を示す説明図である。図１は注意喚起具１の概略を示す斜視図であり、図２は後述する連結部３の第１の例の概略を示す斜視図である。図３は後述する連結部３の第２の例の概略を示す斜視図である。
【００１８】
図１に示すように、注意喚起具１は、所定の長さを有して螺旋状に形成された線状の本体部２と、本体部２の両端に設けられた、注意喚起具１同士を連結する連結部３とを備える。本体部２は、心線の回りを合成樹脂材料で被覆した線状の部材により構成される。心線の回りを被膜する合成樹脂材料は、例えば、断面が長方形となる板状、または断面が円形となる円筒状に形成される。合成樹脂材料が断面が長方形となる板状に形成された場合、長方形の各辺の長さは例えば５〜７ｍｍ及び１〜２ｍｍに形成される。合成樹脂材料が断面が円形となる円筒状に形成された場合、円形の直径は例えば３〜５ｍｍに形成される。また、本体部２の螺旋形状の長手方向の長さは、例えば１．５〜２．０ｍに形成される。本体部２の螺旋の内径は、メッセンジャワイヤ１０及び光ファイバーケーブル１１の外径に応じた大きさとなる。また、本体部２の表面は、例えば黄色等の周囲の環境に対して視認性の高い色を備える。
【００１９】
図２に示すように、連結部３の第１の例においては、本体部２の両端にそれぞれ雄型のジョイント部を有する連結部３ａと、雌型のジョイント部を有する連結部３ｂとが備えられる。連結部３ａと連結部３ｂが嵌合して結合することにより、注意喚起具１は螺旋形状の長手方向に連結された状態となる。連結部３の第１の例においては、容易に注意喚起具１の連結を行うことが可能となる。
【００２０】
図３（ａ）に示すように、連結部３の第２の例においては、本体部２の両端に、それぞれ所定の形状の固定用布４が備えられる（連結部３ｃ）。固定用布４の一方の面には雄型の面ファスナー５ａが備えられ、他方の面には雌型の面ファスナー５ｂが備えられる。連結部３ｃによる注意喚起具１の連結は次のように行われる。まず図３（ｂ）に示すように、固定用布４の幅に応じて、本体部２の端部の一部を互いに重ね合わせる。その後。図３（ｃ）の矢印に示すように、それぞれの固定用布４を互いの本体部２の端部を巻き付けて、面ファスナー５ａ・５ｂにより固定する。これにより、注意喚起具１は螺旋形状の長手方向に連結された状態となる。連結部３の第２の例においては、連結部３の第１の例に比べて樹脂等の複雑な成形を行わずに作製することが可能となる。連結部３ａ、連結部３ｂ及び連結部３ｃは連結手段の一例である。
【００２１】
図４は本実施の形態の注意喚起具１の他の例の概略を示す斜視図である。図４に示すように、本体部２の表面に、螺旋形状の長手方向に所定の間隔で縞模様を備えることにより高い視認性を有するとしてもよい。この時、例えば黄色及び黒色により縞模様を形成することにより、周囲の環境に対してより高い視認性を有することが可能となる。
【００２２】
＜本実施の形態の注意喚起具の取り付け例＞
次に図１から図４で説明した本発明の注意喚起具１の取り付け例について説明する。本発明の注意喚起具１は、図６に示すような、電柱１２間にメッセンジャワイヤ１０及びケーブル支持具５０によって架設された光ファイバーケーブル１１の、所定区間に対して取り付けられる。図５は、図６において電柱１２ａ―１２ｂ間の光ファイバーケーブル１１に対して注意喚起具１を取り付けた状態を示す説明図である。注意喚起具１は、メッセンジャワイヤ１０及び光ファイバーケーブル１１が、本体部２の螺旋状の内部に位置するように、光ファイバーケーブル１１に対して取り付けられる。
【００２３】
本発明の注意喚起具１によれば、本体部２の表面が視認性の高い色彩又は模様を有していることにより、注意喚起具１を周囲の環境から容易に見分けることができる。よって、注意喚起具１が取り付けられている光ファイバーケーブル１１が設置されている箇所を容易に見分けることができる。
【００２４】
これにより、図５に示すように、所定の区間の光ファイバーケーブル１１に対して本発明の注意喚起具１を取り付けることにより、光ファイバーケーブル１１が設置されている箇所の周囲の環境に対する視認性を高めることができ、例えば建設工事現場において、光ファイバーケーブル１１に対する工事用機器等の誤った衝突を防ぐことが可能となる。
【００２５】
図５においては、注意喚起具１を光ファイバーケーブルに対して取り付ける例を示したが、本発明の注意喚起具１は他の通信用及び配電用の各種ケーブルに対して取り付けることも可能である。
【００２６】
また本発明の注意喚起具１は、ケーブルの設置箇所に対して常時注意する必要のある工場等においてケーブルに取り付けることにより、ケーブル設置箇所の周囲の環境に対する視認性を高めることが可能となる。
【００２７】
更に本発明の注意喚起具１は、本体部２の表面の色を緑色、茶色、赤色等の様々な色にすることにより、国定公園・カラーポール設置施設等において、周囲の環境に配慮しつつ、ケーブル設置箇所の周囲の環境に対する視認性を高めることが可能となる。
【産業上の利用可能性】
【００２８】
本発明は、電柱間にメッセンジャワイヤとケーブル支持具によって架設されるケーブルに装着され、ケーブルの存在を注意喚起する注意喚起具に適用される。
【図面の簡単な説明】
【００２９】
【図１】本実施の形態の注意喚起具の構成例を示す説明図である。
【図２】本実施の形態の注意喚起具の連結部の第１の例を示す説明図である。
【図３】本実施の形態の注意喚起具の連結部の第２の例を示す説明図である。
【図４】本実施の形態の注意喚起具の他の例を示す説明図である。
【図５】本実施の形態の注意喚起具の取り付け例を示す説明図である。
【図６】ケーブル支持具によるケーブル支持方法の例を示す説明図である。
【符号の説明】
【００３０】
１  注意喚起具
２  本体部
３  連結部
３ａ  連結部
３ｂ  連結部
３ｃ  連結部
４  固定用布
５ａ  面ファスナー
５ｂ  面ファスナー
１０  メッセンジャワイヤ
１１  光ファイバーケーブル
１２  電柱
５０  ケーブル支持具
【図１】
2007174761.tif 000003
【図２】
2007174761.tif 000004
【図３】
2007174761.tif 000005
【図４】
2007174761.tif 000006
【図５】
2007174761.tif 000007
【図６】
2007174761.tif 000008